(57)【要約】【課題】本発明はテレビジョン受像機等に使用されるスピーカ装置に関するものであり、製作の容易な細長形状のスピーカ装置を提供するものである。【解決手段】本発明のスピーカ装置の発明は、細長形状のプリント回路板２２と、このプリント回路板２２上に配置された複数のスピーカ２３とで構成し、両端部２２ａに信号入力部を形成したことで、量産の容易なスピーカを複数個並べてスピーカ装置を形成することで、細長形のスピーカ装置を容易に提供できると共に左右に配置されたスピーカ装置と本体側回路の接続を容易に行える機器の組み立て作業が容易となるものである。【選択図】図１
2005079809.tif 000002
【特許請求の範囲】
【請求項１】
細長形状のプリント回路板と、このプリント回路板上に装着され、前記プリント回路板の導電パターン部と電気的に信号入力用端子部が接続されるとともに前記細長形状のプリント回路板の細長方向と略同方向に略直線状に配置された複数のスピーカとから構成されるスピーカ装置であって、少なくともプリント回路板の細長方向の両端部またはその近傍に前記導電パターン部が引き回されて外部からの信号入力部を形成したスピーカ装置。
【請求項２】
外部からの信号入力部が他のプリント回路板または他のプリント板に接続されたコネクタと直接接続される端子部となる請求項１に記載のスピーカ装置。
【請求項３】
複数配置されたスピーカ夫々が電気的に接続されるとともに、そのインピーダンスが略一つのスピーカのインピーダンスと同じか、近似させた請求項１または請求項２に記載のスピーカ装置。
【請求項４】
複数配置されたスピーカ夫々の電気的な接続が直列接続である請求項３に記載のスピーカ装置。
【請求項５】
複数配置されたスピーカの少なくともいずれかの端部側の１つ以上のスピーカの高域の入力を抑制するハイカットフィルターをプリント回路板の導電パターン部に接続した請求項１または請求項２に記載のスピーカ装置。
【発明の詳細な説明】
【技術分野】
【０００１】
本発明は主としてテレビジョン受像機の両側に配置されるスピーカ装置に関するものである。
【背景技術】
【０００２】
近年、テレビジョン受像機は大型化、薄型化の中でよりコンパクトであることが要求され、両側に配置されるスピーカ装置は薄型で、細長型のスピーカが必要となってきている。図５はこの種細長形のスピーカであり、図５（ａ）は平面図、図５（ｂ） は同長径方向の側断面図、図５（ｃ）は同短径方向の断面図である。
【０００３】
同図によると、１は振動方向から見た平面形状が長径と短径とを有する非軸対称形であって音を放射する方向とは逆のふくらみをもつ逆ドーム状の振動板であり、２はこの振動板１の外周部に接合されたエッジであり、このエッジ２はフレーム５に保持されている。１０はこのフレーム５の底面に組み付けられた磁気回路であり、ヨーク８、磁石７、プレート６等から構成されている。
【０００４】
９は上記フレーム５のフレーム窓に装着された防塵ネットであり、磁気回路１０への塵埃の侵入を防止している。３は振動板１の外周部に沿って振動方向と平行に帯状（トラック状）に形成され、上記振動板１の外周部に接合されたボイスコイルボビンであり、図示していないが、磁気回路１０の磁気ギャップ１０ａに対応する位置にはボイスコイルが巻回されている。
【０００５】
特に、図示しないが上記のように構成されたスピーカはテレビジョン受像機のディスプレイの両側に夫々配置されるものである。
【０００６】
尚、この出願の発明に関連する先行技術文献情報としては、例えば、特許文献１が知られている。
【特許文献１】特開平９−２００８９１号公報
【発明の開示】
【発明が解決しようとする課題】
【０００７】
以上のような従来のスピーカは、長径側に長くなるため、トラック形状のボイスコイルボビン３を蛇行することなく製作することや、磁気ギャップ１０ａをこのようなボイスコイルボビン３の変形を予測して余裕を持たせたり、磁気回路１０やフレーム５の反りの防止を図る必要があるなどスピーカの製作が煩雑なものとなり、コストも高いものとなっていた。
【０００８】
本発明は、上記課題を解決するもので、製作の容易な細長形状のスピーカ装置を提供するものである。
【課題を解決するための手段】
【０００９】
上記課題を解決するために、本発明は以下の構成を有する。
【００１０】
本発明のスピーカ装置の請求項１に記載の発明は、細長形状のプリント回路板と、このプリント回路板上に装着され、前記プリント回路板の導電パターン部と電気的に信号入力用端子部が接続されるとともに前記細長形状のプリント回路板の細長方向と略同方向に略直線状に配置された複数のスピーカとから構成されるスピーカ装置において、少なくともプリント回路板の細長方向の両端部またはその近傍に前記導電パターン部が引き回されて外部からの信号入力部を形成したことにより、スピーカとしては製作の煩雑なものをあえて製作する必要がなく、量産の容易なスピーカを複数個並べてスピーカ装置を形成することで、細長形のスピーカ装置を容易に提供できると共に、そのスピーカ装置の外部からの信号入力部を端部またはその近傍に設けたので例えばモニターの両側に配置した時、テレビジョン受像機の本体側回路（一般的にはキャビネットの底部に配置されている）と左右に配置されたスピーカ装置と本体側回路の接続はいずれもスピーカ装置の下側で行えるので、機器の組み立て作業が容易となるものである。
【００１１】
本発明のスピーカ装置の請求項２に記載の発明は、請求項１に記載の信号入力部を他のプリント回路板（例えば機器本体の回路板）または他のプリント回路に接続されたコネクタと直接接続される端子部としたので、機器組み立て作業の効率の更なる向上が図れるものである。
【００１２】
本発明のスピーカ装置の請求項３に記載の発明は、請求項１または請求項２に記載のスピーカ装置において、複数配置されたスピーカ夫々が電気的に接続され、その合成インピーダンスが略一つのスピーカのインピーダンスと同じか、近似させたものであり、機器本体側の増幅器の設計を一つのスピーカを前提に行っても、本発明のスピーカ装置の使用が可能となって、機器本体の普及機種から高級機種までの音響装置側のバリエーションの提供をスピーカ装置側の変更のみで容易に行えるものである。
【００１３】
本発明のスピーカ装置の請求項４に記載の発明は、請求項３に記載のスピーカ装置のスピーカ夫々の電気的接続を直列接続としたものであり、請求項３の効果と同様の効果を機器本体側の増幅器の負荷を増加させることなく達成できるものである。
【００１４】
本発明のスピーカ装置の請求項５に記載の発明は、請求項１または請求項２に記載のスピーカ装置の複数配置されたスピーカの少なくともいずれかの端部側の１つ以上のスピーカの高域の入力を抑制するハイカットフィルターをプリント回路板の導電パターン部に接続したものであり、複数のスピーカを直線状に配置したことにより発生する高域の再生周波数の指向性の複数のスピーカの配置方向に発生する指向性の抑制を図るものである。
【発明の効果】
【００１５】
以上のように、本発明のスピーカ装置は、細長形状のスピーカを容易に製作可能なものとするとともに、機器本体回路板との接続も容易な優れたスピーカ装置の提供を可能とするものである。
【発明を実施するための最良の形態】
【００１６】
以下、本発明のスピーカ装置の実施の形態を図１から図４により説明する。
【００１７】
（実施の形態１）
以下、実施の形態１を用いて、本発明の各請求項に記載の発明について説明する。
【００１８】
図１は本発明のスピーカ装置の斜視図であり、図２は同要部であるプリント回路板に装着されたスピーカの短径側の断面図、図３はスピーカ装置の回路図、図４（ａ）から図４（ｄ）は同スピーカ装置の展開例の回路図である。
【００１９】
同図によると、２１はスピーカ装置であり、２２は導電パターンを施した細長形状のプリント回路板であり、２３は複数のスピーカであり、長方形のプリント回路板２２上に略直線状に電気的・機械的に接続されている。
【００２０】
２４は外部音声信号入力用のリード線であり、機器本体側（図示せず）と接続するためのものであり、一端はプリント回路板２２の導電パターンの端部２２ａと接続されている。
【００２１】
この端部２２ａはプリント回路板２２の長径方向の両端またはその近傍に一対づつ設けていずれの側からでも外部信号入力用のリード線２４の接続が可能とすることで、機器本体との接続時に、モニタの左右のいずれの側に設置する場合でも機器本体側との接続が容易となるようになっている（リード線２４を設けなくても機器本体側やまたは機器本体側のコネクタと直接接続する様にしても良い）。
【００２２】
なお、２５はプリント回路板２２上のスピーカ２３との間に配置された台部であり、隙間２５ａを設けることで放熱効果を持たせている。
【００２３】
次に、スピーカ２３の構成について詳述すると、２３ｄはケース２３ａ上にボイスコイル部２３ｂを設け、エッジ部２３ｃを介してケース２３ａに固定された振動板であり、ケース２３ａのケースには一体に脚部２３ａａ が設けられ、プリント回路板２２に固着されている。
【００２４】
なお、この脚部２３ａａはケース２３ａと樹脂成型で一体に形成しても、インサート成型により金属板をケース２３ａと一体に形成し、プリント回路板２２と半田付け時にスピーカ２３をプリント回路板２２と電気的に接続するときに、半田付け時に同時に固定作業を行うことも可能となる。
【００２５】
２３ｅは第１のヨークであり、ケース２３ａ上に接着結合され、更にその上に、矩形状の第１のマグネット２３ｆが接着結合されている。２３ｇはケース２３ａとで筐体を形成する金属カバーであり、漏洩磁束の抑制効果も併せて有するものである。
【００２６】
２３ｈは第２のヨークであり、２３ｉは第１のマグネット２３ｆに対向するように第２のヨーク２３ｈに接着結合された第２のマグネットである。
【００２７】
スピーカ２３は直列接続されており、その合成インピーダンスは一般的なスピーカの１台の内部抵抗（４Ωまたは８Ωまたは１６Ω）のいずれかと略合致するように設定されている。
【００２８】
このようにすることで、機器本体側のスピーカ用の増幅回路の容量を変更することなく、スピーカ装置のグレード（本実施の形態ではスピーカ４台を使用しているが、１台のものとしたり、６台のものとしたりすることで普及タイプから音響特性の優れたタイプのものとすること）を変更することが可能となる。
【００２９】
図４の（ａ）〜（ｄ）は夫々スピーカ装置におけるスピーカの回路図であり、ｒ１，ｒ２は直線状に配置されたスピーカの内で内側に配置されたスピーカの内部インピーダンスを示し、ｒ３，ｒ４は直線状に配置されたスピーカの内で外側に配置されたスピーカの内部インピーダンスを示している。Ｃはハイカットフィルターであり、再生周波数の高周波域をカットするためのものであり、カットすべき周波数、回路構成によって適宜選択されるが、いずれもスピーカ装置の両外側に配置されたスピーカの高域を抑制しているものである。このハイカットフィルターはプリント回路板２２の導電配線にコンデンサを接続することで実現できる。
【００３０】
スピーカは直線状に並べたとき（プリント回路板に形成しなくても）、この直線方向（テレビジョン受像機のモニタの両側に配置したときはこの垂直方向）の指向性が鋭くなるが、両外側のスピーカの高域をカットすることで、スピーカ装置２１の指向性が抑制される。
【００３１】
なお、指向性を抑制するためにはスピーカ２３間の間隔を狭めることでも行える。
【００３２】
以上の実施の形態は、スピーカ２３を短径・長径からなる直方体の振動板に直接ボイスコイルを形成した薄型形状のスピーカとして説明したが、本発明のスピーカとしてはこのスピーカに限定されるものではなく、複数個直線状に並べて形成されるものであればいかなるスピーカを用いてスピーカ装置を形成してもいいものである。
【産業上の利用可能性】
【００３３】
本発明にかかるスピーカ装置は、プリント回路板上にスピーカを複数個、直線状または略直線状に配置して形成するスピーカ装置を用いる音響機器等に利用可能なものである。
【図面の簡単な説明】
【００３４】
【図１】本発明のスピーカ装置の斜視図
【図２】同要部であるプリント回路板に装着されたスピーカの短径側の断面図
【図３】スピーカ装置の回路図
【図４】（ａ）同スピーカ装置の展開例の回路図、（ｂ）同展開例の回路図、（ｃ）  同展開例の回路図、（ｄ）同展開例の回路図
【図５】（ａ） 従来のスピーカの平面図、（ｂ）同長径方向の側断面図、（ｃ）同短径方向の側断面図
【符号の説明】
【００３５】
２１  スピーカ装置
２２  プリント回路板
２２ａ  端部
２３  スピーカ
２４  リード線
ｒ１、ｒ２  （内側）スピーカの内部抵抗
ｒ３、ｒ４  （外側）スピーカの内部抵抗
Ｃ  ハイカットフィルター
【図１】
2005079809.tif 000003
【図２】
2005079809.tif 000004
【図３】
2005079809.tif 000005
【図４】
2005079809.tif 000006
【図５】
2005079809.tif 000007